(57)【要約】      （修正有）【課題】安全性とインリジェインス性を向上させたソーラー充電装置を備える傘を提供する。【解決手段】ソーラー充電装置の充電制御システムは、コントローラ１と、二次電池の温度を検出し、コントローラ１に接続されて二次電池の温度を検出して取得した温度信号をコントローラ１に送信するための温度検出モジュール２と、コントローラ１に接続されるとともに、二次電池に接続されるスイッチモジュール３とを備える。コントローラ１は、温度検出モジュール２の検出結果に基づいてスイッチモジュール３の動作状態を制御し、スイッチモジュールは、コントローラ１の制御により二次電池の充電状態を切り替える。【選択図】図４
2019193555.tif 000002
【特許請求の範囲】
【請求項１】
充電制御システムであって、
コントローラと、
二次電池の温度を検出し、前記コントローラに接続されて、二次電池の温度を検出して取得した温度信号を前記コントローラに送信するための温度検出モジュールと、
前記コントローラに接続されるとともに、前記二次電池に接続されるスイッチモジュールとを備え、
前記コントローラは、前記スイッチモジュールの動作状態を制御し、前記スイッチモジュールによって前記二次電池の充電状態の切り替えを実現する充電制御システム。
【請求項２】
前記コントローラは、前記温度信号に基づいて、前記スイッチモジュールが第１の動作状態又は第２の動作状態になるように制御する請求項１に記載の充電制御システム。
【請求項３】
前記二次電池の温度が所定温度範囲内にある場合に、前記コントローラは、前記温度検出モジュールにより伝送された温度信号に基づいて、前記スイッチモジュールがオン状態である前記第１の動作状態になるように制御し、前記二次電池の温度が前記所定温度範囲を超える場合に、前記コントローラは、前記温度検出モジュールにより伝送された温度信号に基づいて、前記スイッチモジュールがオフ状態である前記第２の動作状態になるように制御し、或いは、
前記二次電池の温度が所定温度範囲内にある場合に、前記コントローラは、前記温度検出モジュールにより伝送された温度信号に基づいて、前記スイッチモジュールがオフ状態である前記第１の動作状態になるように制御し、前記二次電池の温度が前記所定温度範囲を超える場合に、前記コントローラは、前記温度検出モジュールにより伝送された温度信号に基づいて、前記スイッチモジュールがオン状態である前記第２の動作状態になるように制御する請求項２に記載の充電制御システム。
【請求項４】
前記コントローラは、デジタルアナログ変換機能を持つシングルチップマイクロコンピュータであり、
前記温度検出モジュールは、サーミスターと第１の抵抗からなる分圧回路である請求項１に記載の充電制御システム。
【請求項５】
前記サーミスターは、前記二次電池の表面に設置され、第１の端が電源に接続され、第２の端が、第２の端が接地している第１の抵抗の第１の端に接続され、
前記サーミスターの第２の端が前記シングルチップマイクロコンピュータのデジタルアナログ変換接続端子に接続される請求項４に記載の充電制御システム。
【請求項６】
前記スイッチモジュールと前記コントローラとの間に第２の抵抗が接続される請求項１に記載の充電制御システム。
【請求項７】
ソーラー充電装置であって、
ソーラーコンポーネントと、二次電池とを備え、
充電管理チップと、
請求項１〜６のいずれか一項に記載の充電制御システムとをさらに備え、
前記充電制御システムのスイッチモジュールが前記充電管理チップに接続され、前記充電管理チップの動作状態を制御するために用いられるソーラー充電装置。
【請求項８】
前記充電管理チップは、温度検出ピンと、電源ピンとを備え、
前記スイッチモジュールは、前記充電管理チップの温度検出ピンに接続され、又は、前記充電管理チップの電源ピンに接続される請求項７に記載のソーラー充電装置。
【請求項９】
前記充電制御システムのコントローラに接続され、前記コントローラを給電するためのコントローラ電源と、
前記コントローラに接続され、制御プログラムをアップロード・ダウンロードするためのプログラムダウンロードモジュールと、
前記ソーラーコンポーネントに接続され、ソーラーコンポーネントの動作電圧を検出するためのソーラーコンポーネント電圧検出モジュールと、
二次電池に接続され、前記二次電池の充電時の電圧を検出するための二次電池電圧検出モジュールとをさらに備える請求項７又は８に記載のソーラー充電装置。
【請求項１０】
傘用ジャンクションボックスであって、
請求項１〜６のいずれか一項に記載の充電制御システムと、
第１の貫通孔が設置されるハウジングと、
前記ハウジング内に設置される回路基板と、
前記回路基板に電気的に接続される電気接続端と、前記第１の貫通孔に位置し、且つ前記第１の貫通孔を介して前記ハウジング外に露出するインタフェース端とを有する充電インタフェースと、
前記回路基板に電気的に接続され、且つ前記回路基板を介して前記充電インタフェースに電気的に接続され、前記インタフェース端に接続される電子機器を充電するための二次電池とを備え、
前記充電制御システムの温度検出モジュールは、前記二次電池に接続され、前記二次電池の温度を検出するために用いられ、
前記充電制御システムのスイッチモジュールは、前記二次電池に接続される傘用ジャンクションボックス。
【請求項１１】
残量表示部材をさらに備え、
前記ハウジングに第２の貫通孔が設置され、前記残量表示部材は、前記第２の貫通孔に設置され、且つ前記第２の貫通孔を介して前記ハウジング外に露出し、
前記残量表示部材は、前記回路基板に電気的に接続され、且つ前記回路基板を介して前記二次電池に電気的に接続され、前記二次電池の残量を表示するために用いられる請求項１０に記載の傘用ジャンクションボックス。
【請求項１２】
前記残量表示部材は、所定軌跡に沿って配列され、前記所定軌跡の所定方向に沿って順に発光し、前記二次電池の残量を指示するための複数の指示ランプを備え、及び／又は、
前記残量指示部材は、ディスプレイスクリーンを備える請求項１１に記載の傘用ジャンクションボックス。
【請求項１３】
前記第２の貫通孔は、複数の遮光孔を有し、隣接する２つの前記遮光孔の各間にバリア壁を有し、前記遮光孔の数量が前記指示ランプの数量と同じであり、且つ複数の前記遮光孔は前記所定軌跡に沿って配列され、各前記指示ランプが前記遮光孔にそれぞれ対応して挿入され、
前記遮光孔は、前記ハウジング内から前記ハウジング外に連通する第１の孔と、孔径が前記第１の孔の孔径より小さい第２の孔とを備え、前記指示ランプは、前記第１の孔内に挿入され、前記第２の孔を介して前記ハウジング外に露出する請求項１２に記載の傘用ジャンクションボックス。
【請求項１４】
前記ハウジングは、対向する第１のハウジングと第２のハウジング、及び、対向する第３のハウジングと第４のハウジングを備え、前記第１のハウジング、前記第２のハウジング、前記第３のハウジング及び前記第４のハウジングは、取り外し可能に接続され、
前記第１のハウジングに第１の切欠きを有する第１の突き合わせ部が設置され、前記第２のハウジングに第２の切欠きを有する第２の突き合わせ部が設置され、前記第１の突き合わせ部が前記第２の突き合わせ部に突き合せられる時に、前記第１の切欠きが前記第２の切欠きと対向して、挟持空間を形成し、且つ前記第１のハウジングが前記第２のハウジングに突き合せられて、両端が貫通するキャビティーを形成し、
前記第１のハウジング及び／又は前記第２のハウジングには、傘に接続される中棒を固定するための位置決め部が設置され、
前記第１のハウジング及び前記第２のハウジングにおいて、その両端に隣接する両側辺縁にそれぞれ、前記第１のハウジング及び前記第２のハウジングの両端を貫通する凹溝が設置され、前記第３のハウジング及び前記第４のハウジングの周縁にそれぞれ挿着部が設置され、前記第１のハウジングと前記第２のハウジングが突き合せられる時に、前記第１のハウジングの凹溝が前記第２のハウジングの凹溝と対向し、前記第３のハウジング及び前記第４のハウジングの挿着部が前記凹溝内に挿入され、前記第３のハウジング及び前記第４のハウジングを前記第１のハウジング及び前記第２のハウジングに固定係合させる請求項１０〜１３のいずれか一項に記載の傘用ジャンクションボックス。
【請求項１５】
前記第３のハウジング及び前記第４のハウジングの挿着部は、いずれもその縁部全周に亘って対向する２つの環状スラットを備え、２つの前記環状スラットの間に隙間を有し、前記隙間にシールリングが嵌設され、前記挿着部が前記凹溝内に挿入される際、前記挿着部は、前記シールリングによって前記凹溝と密封される請求項１４に記載の傘用ジャンクションボックス。
【請求項１６】
前記挿着部は、２つの前記環状スラットの設置方向に沿って均等に分布し且つ互い違いに並べられる第１の歯部と第２の歯部を備える請求項１５に記載の傘用ジャンクションボックス。
【請求項１７】
前記ハウジングには、傘の傘骨に接続されて前記傘の傘布の開閉を制御するためのクランクが設置され、及び／又は、
前記第１の貫通孔には、前記充電インタフェースのインタフェース端の外側に密封接合される密封蓋が設置され、及び／又は、
前記ハウジングには、前記傘の照明装置に電気的に接続されて前記照明装置のオンオフを制御するためのスイッチ操作部がさらに設置される請求項１０〜１３のいずれか一項に記載の傘用ジャンクションボックス。
【請求項１８】
傘であって、
傘本体と、請求項１０〜１７のいずれか一項に記載の傘用ジャンクションボックスとを備え、
前記傘用ジャンクションボックスが前記傘本体に接続される傘。
【請求項１９】
前記ソーラー充電装置のソーラーコンポーネントは、前記傘本体の傘布の外表面に設置され、
前記傘用ジャンクションボックスは、前記傘本体の中棒に接続され、前記中棒には、前記傘用ジャンクションボックスと前記傘本体のスタンドとの間に位置するトレイが接続される請求項１８に記載の傘。
【発明の詳細な説明】
【技術分野】
【０００１】
本出願は、出願番号が２０１８１０３６３７８６．１で、出願日が２０１８年０４月２２日の中国特許出願、出願番号が２０１８２０５７５３９２．８で、出願日が２０１８年０４月２２日の中国特許出願、及び出願番号が２０１８２０６０１０３６．９で、出願日が２０１８年０４月２５日の中国特許出願に基づいて提案され、上記中国特許出願の優先権を主張し、上記中国特許出願の全体が参照によりここに組み込まれる。
【０００２】
本開示の実施例は、ソーラー技術分野に関するが、これに限定されず、特に充電制御システム、ソーラー充電装置、傘用ジャンクションボックス及び傘に関する。
【背景技術】
【０００３】
パラソルは、アウトドアレジャー、旅行の場合に主に日よけの役割を果たす傘として、多機能化、インテリジェント化の設計へ発展しており、ソーラー充電技術がますます傘に応用され、ソーラーコンポーネントと二次電池を備えるソーラー充電装置が傘に設置され、日光がソーラーコンポーネントに照射すると、ソーラーコンポーネントは、光エネルギーを電気エネルギーに変換して、二次電池を充電することができる。
【０００４】
従来技術において、二次電池は、許容充電温度閾値を有し、二次電池の温度が許容充電温度閾値を超える場合、安全性のために二次電池の充電を停止すべきである。しかし、現在、ソーラー充電装置に設置される充電管理チップは、二次電池の温度が許容充電温度閾値を超えていない場合にも二次電池を充電停止状態にし、このため、太陽エネルギーの利用率を低下させる。
従って、上記問題についてさらなる解決案が必要である。
【発明の概要】
【発明が解決しようとする課題】
【０００５】
本開示の実施例は、充電制御システム、ソーラー充電装置、傘用ジャンクションボックス及び傘を提供する。
【課題を解決するための手段】
【０００６】
一態様では、本開示の実施例にて提供される充電制御システムは、
コントローラと、
二次電池の温度を検出し、前記コントローラに接続されて、二次電池の温度を検出して取得した温度信号を前記コントローラに送信するための温度検出モジュールと、
前記コントローラに接続されるとともに、前記二次電池に接続されるスイッチモジュールとを備え、
前記コントローラは、前記スイッチモジュールの動作状態を制御し、前記スイッチモジュールによって前記二次電池の充電状態の切り替えを実現する。
【０００７】
本開示の一実施形態では、前記コントローラは、前記温度信号に基づいて、前記スイッチモジュールが第１の動作状態又は第２の動作状態になるように制御する。
【０００８】
本開示の一実施形態では、前記二次電池の温度が所定温度範囲内にある場合に、前記コントローラは、前記温度検出モジュールにより伝送された温度信号に基づいて、前記スイッチモジュールがオン状態である前記第１の動作状態になるように制御し、前記二次電池の温度が前記所定温度範囲を超える場合に、前記コントローラは、前記温度検出モジュールにより伝送された温度信号に基づいて、前記スイッチモジュールがオフ状態である前記第２の動作状態になるように制御し、或いは、
前記二次電池の温度が所定温度範囲内にある場合に、前記コントローラは、前記温度検出モジュールにより伝送された温度信号に基づいて、前記スイッチモジュールがオフ状態である前記第１の動作状態になるように制御し、前記二次電池の温度が前記所定温度範囲を超える場合に、前記コントローラは、前記温度検出モジュールにより伝送された温度信号に基づいて、前記スイッチモジュールがオン状態である前記第２の動作状態になるように制御する。
【０００９】
本開示の一実施形態では、前記コントローラは、デジタルアナログ変換機能を持つシングルチップマイクロコンピュータであり、
前記温度検出モジュールは、サーミスターと第１の抵抗からなる分圧回路である。
【００１０】
本開示の一実施形態では、前記サーミスターは、前記二次電池の表面に設置され、第１の端が電源に接続され、第２の端が、第２の端が接地している第１の抵抗の第１の端に接続され、
前記サーミスターの第２の端が前記シングルチップマイクロコンピュータのデジタルアナログ変換接続端子に接続される。
【００１１】
本開示の一実施形態では、前記スイッチモジュールと前記コントローラとの間に第２の抵抗が接続される。
【００１２】
別の態様では、本開示の実施例にて提供されるソーラー充電装置は、ソーラーコンポーネントと、二次電池とを備え、
充電管理チップと、
上記充電制御システムとをさらに備え、
前記充電制御システムのスイッチモジュールは、前記充電管理チップに接続され、前記充電管理チップの動作状態を制御するために用いられる。
【００１３】
本開示の一実施形態では、前記充電管理チップは、温度検出ピンと、電源ピンとを備え、
前記スイッチモジュールは、前記充電管理チップの温度検出ピンに接続され、又は、前記充電管理チップの電源ピンに接続される。
【００１４】
本開示の実施例のソーラー充電装置は、
前記充電制御システムのコントローラに接続され、前記コントローラを給電するためのコントローラ電源と、
前記コントローラに接続され、制御プログラムをアップロード・ダウンロードするためのプログラムダウンロードモジュールと、
前記ソーラー充電装置のソーラーコンポーネントに接続され、ソーラーコンポーネントの動作電圧を検出するためのソーラーコンポーネント電圧検出モジュールと、
二次電池に接続され、前記二次電池の充電時の電圧を検出するための二次電池電圧検出モジュールとをさらに備える。
【００１５】
別の態様では、本開示の実施例にて提供される傘用ジャンクションボックスは、
上記充電制御システムと、
第１の貫通孔が設置されるハウジングと、
前記ハウジング内に設置される回路基板と
前記回路基板に電気的に接続される電気接続端と、前記第１の貫通孔に位置し、且つ前記第１の貫通孔を介して前記ハウジング外に露出するインタフェース端とを有する充電インタフェースと、
前記回路基板に電気的に接続され、且つ前記回路基板を介して前記充電インタフェースに電気的に接続され、前記インタフェース端に接続される電子機器を充電するための二次電池とを備え、
前記充電制御システムの温度検出モジュールは、前記二次電池に接続され、前記二次電池の温度を検出するために用いられ、
前記充電制御システムのスイッチモジュールは、前記二次電池に接続される。
【００１６】
本開示の実施例の傘用ジャンクションボックスは、
残量表示部材をさらに備え、
前記ハウジングに第２の貫通孔が設置され、前記残量表示部材は、前記第２の貫通孔に設置され、且つ前記第２の貫通孔を介して前記ハウジング外に露出し、
前記残量表示部材は、前記回路基板に電気的に接続され、且つ前記回路基板を介して前記二次電池に電気的に接続され、前記二次電池の残量を表示するために用いられる。
【００１７】
本開示の一実施形態では、前記残量表示部材は、所定軌跡に沿って配列され、前記所定軌跡の所定方向に沿って順に発光し、前記二次電池の残量を指示するための複数の指示ランプを備え、及び／又は、
前記残量指示部材は、ディスプレイスクリーンを備える。
【００１８】
本開示の一実施形態では、前記第２の貫通孔は、複数の遮光孔を有し、隣接する２つの前記遮光孔の各間にバリア壁を有し、前記遮光孔の数量が前記指示ランプの数量と同じであり、且つ複数の前記遮光孔は前記所定軌跡に沿って配列され、各前記指示ランプが前記遮光孔にそれぞれ対応して挿入され、
前記遮光孔は、前記ハウジング内から前記ハウジング外に連通する第１の孔と、孔径が前記第１の孔の孔径より小さい第２の孔とを備え、前記指示ランプは、前記第１の孔内に挿入され、前記第２の孔を介して前記ハウジング外に露出する。
【００１９】
本開示の一実施形態では、前記ハウジングは、対向する第１のハウジングと第２のハウジング、及び、対向する第３のハウジングと第４のハウジングを備え、前記第１のハウジング、第２のハウジング、第３のハウジング及び第４のハウジングは取り外し可能に接続され、
前記第１のハウジングに第１の切欠きを有する第１の突き合わせ部が設置され、前記第２のハウジングに第２の切欠きを有する第２の突き合わせ部が設置され、前記第１の突き合わせ部が前記第２の突き合わせ部に突き合せられる時に、前記第１の切欠きが前記第２の切欠きと対向して、挟持空間を形成し、且つ前記第１のハウジングが前記第２のハウジングに突き合せられて、両端が貫通するキャビティーを形成し、
前記第１のハウジング及び／又は前記第２のハウジングには、傘に接続される中棒を固定するための位置決め部が設置され、
前記第１のハウジング及び前記第２のハウジングにおいて、その両端に隣接する両側辺縁にそれぞれ、前記第１のハウジング及び前記第２のハウジングの両端を貫通する凹溝が設置され、前記第３のハウジング及び前記第４のハウジングの周縁にそれぞれ挿着部が設置され、前記第１のハウジングと前記第２のハウジングが突き合せられる時に、前記第１のハウジングの凹溝が前記第２のハウジングの凹溝と対向し、前記第３のハウジング及び前記第４のハウジングの挿着部が前記凹溝内に挿入され、前記第３のハウジング及び前記第４のハウジングを前記第１のハウジング及び前記第２のハウジングに固定係合させる。
【００２０】
本開示の一実施形態では、前記第３のハウジング及び前記第４のハウジングの挿着部は、いずれもその縁部全周に亘って対向する２つの環状スラットを備え、２つの前記環状スラットの間に隙間を有し、前記隙間にシールリングが嵌設され、前記挿着部が前記凹溝内に挿入される際、前記挿着部は、前記シールリングによって前記凹溝と密封される。
【００２１】
本開示の一実施形態では、前記挿着部は、２つの前記環状スラットの設置方向に沿って均等に分布し且つ互い違いに並べられる第１の歯部と第２の歯部を備える。
【００２２】
本開示の一実施形態では、前記ハウジングには、傘の傘骨に接続されて前記傘の傘布の開閉を制御するためのクランクが設置され、及び／又は、
前記第１の貫通孔には、前記充電インタフェースのインタフェース端の外側に密封接合される密封蓋が設置され、及び／又は、
前記ハウジングには、前記傘の照明装置に電気的に接続されて前記照明装置のオンオフを制御するためのスイッチ操作部がさらに設置される。
【００２３】
別の態様では、本開示の実施例にて提供される傘は、
傘本体と、上記傘用ジャンクションボックスとを備え、
前記傘用ジャンクションボックスが前記傘本体に接続される。
【００２４】
本開示の一実施形態では、前記ソーラー充電装置のソーラーコンポーネントは、前記傘本体の傘布の外表面に設置され、
前記傘用ジャンクションボックスは、前記傘本体の中棒に接続され、前記中棒には、前記傘用ジャンクションボックスと前記傘本体のスタンドとの間に位置するトレイが接続される。
【図面の簡単な説明】
【００２５】
【図１】本開示の実施例に係る充電制御システムの構成ブロック図である。
【図２】本開示の実施例に係る分圧回路の模式図である。
【図３】本開示の実施例に係るソーラー充電装置の構成ブロック図である。
【図４】本開示の実施例に係るソーラー充電装置の別の構成ブロック図である。
【図５】本開示の実施例に係る傘用ジャンクションボックスの構造模式図である。
【図６】本開示の実施例に係る傘用ジャンクションボックスの第３のハウジングの構造模式図である。
【図７】本開示の実施例に係る傘用ジャンクションボックスの第１のハウジングの構造模式図である。
【図８】本開示の実施例に係る傘の構造模式図である。
【図９】本開示の実施例に係る残量表示部材及び第２の貫通孔の構造模式図である。
【図１０】本開示の実施例に係る傘用ジャンクションボックスの第２のハウジングの構造模式図である。
【図１１】本開示の実施例に係る傘用ジャンクションボックスの第４のハウジングの構造模式図である。
【図１２】本開示の実施例に係る傘用ジャンクションボックスの構造模式図である。
【図１３】図１の傘用ジャンクションボックスの背面視の構造模式図である。
【発明を実施するための形態】
【００２６】
以下、本開示の実施例の図面を参照しながら、本開示の実施例の技術的解決手段について明確に且つ完全に説明するが、当然ながら、記載する実施例は本開示の一部の実施例に過ぎず、全ての実施例ではない。本開示の実施例に基づき、当業者が創造的な労力を要さずに想到し得る他の実施例は、いずれも本開示の技術的範囲に属する。
【００２７】
図１に示すように、本開示の実施例にて提供される充電制御システムは、コントローラ１と、二次電池の温度を検出し、コントローラ１に接続されて二次電池の温度を検出して取得した温度信号をコントローラ１に送信するための温度検出モジュール２と、コントローラ１に接続されるとともに、二次電池に接続されるスイッチモジュール３とを備え、コントローラ１は、スイッチモジュール３の動作状態を制御し、スイッチモジュール３によって二次電池の充電状態の切り替えを実現する。
【００２８】
コントローラ１は、温度範囲を設定でき、且つ温度信号を受信し温度信号に基づいて判断できる制御装置であり、例えば、マイクロコントローラが挙げられる。コントローラ１における所定温度範囲については、二次電池充電時に要求される温度に応じて具体的に設定でき、例えば、二次電池がリチウム電池である場合、所定の温度範囲が０〜６０℃であってもよい。
【００２９】
温度検出モジュール２は、二次電池の温度を検出できる任意の形態の装置又は回路であってもよく、且つ迅速で正確に二次電池の温度を検出するように、温度検出モジュール２の検出端が二次電池の表面に設置されてもよく、そして、二次電池の温度を電気信号としてコントローラ１に送信し、コントローラ１により温度信号に基づいて二次電池の適切な充電温度範囲内にあるか否かを判断できるように、温度検出モジュール２がコントローラ１の検出信号入力ポートに接続される必要がある。
【００３０】
スイッチモジュール３は、コントローラ１によってオンオフを制御できる任意のスイッチであってもよく、例えば、スイッチ回路又は電気信号で制御可能な電子制御式スイッチが挙げられる。スイッチモジュール３の入力端子がコントローラ１の出力端子に接続される必要がある。また、上記コントローラ１、温度検出モジュール２及びスイッチモジュール３の電源は全てソーラー充電装置の電源を直接使用でき、具体的な電気的接続方式については、従来技術を参照すればよいため、ここで詳しく説明しない。
【００３１】
以下、充電制御システムの動作原理にて本開示の実施例を具体的に説明する。温度検出モジュール２によって二次電池の温度を検出し、対応する温度信号をコントローラ１に送信し、二次電池の温度が所定温度範囲内にある場合に、コントローラ１は、温度検出モジュール２により伝送された温度信号に基づいて、スイッチモジュール３を制御して二次電池を充電状態にし、例えば、図４に示すように、スイッチモジュール３を、充電管理チップを介して二次電池に接続し、スイッチモジュール３を充電管理チップの温度検出ピンに接続し、スイッチモジュール３がオフ動作状態にあるとき、充電管理チップの温度検出ピンを接地端子とオフさせ、充電管理チップは、自らが備える固定抵抗が生じた電気信号に基づいて動作し、又はスイッチ回路とコントローラとの間に接続された第２の抵抗が生じた電気信号で動作し、それにより、充電管理チップを二次電池への充電状態にする。二次電池の温度が所定温度範囲を超える場合に、コントローラ１は、温度検出モジュール２により伝送された温度信号に基づいて、スイッチモジュール３を制御して二次電池を充電停止状態にし、例えば、図４に示すように、スイッチモジュール３は、オン動作状態にあるとき、充電管理チップの温度検出ピンを接地端子と導通させ、充電管理チップを二次電池への充電停止状態にする。
【００３２】
本開示の実施例の技術的解決手段では、充電制御システムは、コントローラ、温度検出モジュール及びスイッチモジュールからなり、温度検出モジュールは、二次電池の温度を検出でき、対応する温度信号をコントローラに伝送し、このように、コントローラは、受信した温度信号及び予め設定された温度範囲に基づいて判断でき、二次電池の温度が所定温度範囲内にある場合、コントローラは、温度検出モジュールにより伝送された温度信号に基づいて、スイッチモジュールが二次電池を充電する動作状態になるように制御し、二次電池の温度が所定温度範囲を超える場合、コントローラは、温度検出モジュールにより伝送された温度信号に基づいて、スイッチモジュールが二次電池の充電を停止する動作状態になるように制御し、さらに上記スイッチモジュールの異なる動作状態によって二次電池の充電状態と充電停止状態の間の切り替えを実現する。以上のように、本開示の実施例に係るコントローラは、二次電池充電時に要求される温度に基づいて、所定温度範囲を設定でき、さらに上記制御方式に応じて、異なる構成成分の二次電池に対して充電制御を行うことができ、このように、従来技術において充電温度制御が二次電池による充電温度制限と一致しないという技術的課題を解決し、太陽エネルギーの利用率を向上させる。
【００３３】
本開示の一実施形態では、コントローラ１は、温度信号に基づいて、スイッチモジュール３が第１の動作状態又は第２の動作状態になるように制御する。以下、２種の実施形態にて充電制御システムの動作モードについて具体的に説明する。
【００３４】
一実施形態として、二次電池の温度が所定温度範囲内にある場合に、コントローラ１は、温度検出モジュール２により伝送された温度信号に基づいて、スイッチモジュール３がオン状態である第１の動作状態になるように制御し、二次電池の温度が所定温度範囲を超える場合に、コントローラ１は、温度検出モジュール２により伝送された温度信号に基づいて、スイッチモジュール３がオフ状態である第２の動作状態になるように制御する。
【００３５】
スイッチモジュール３は、ソーラー充電装置のソーラーコンポーネントと充電管理チップの電源ピンとの間に接続された電子制御式スイッチエンティティであってもよく、温度検出モジュール２によって二次電池の温度を検出し、対応する温度信号をコントローラ１に送信し、二次電池の温度が所定温度範囲内にある場合に、コントローラ１は、スイッチモジュール３がオン状態になるように制御し、ソーラー充電装置の充電管理チップを正常に動作させて、二次電池を充電し、二次電池の温度が所定温度範囲を超える場合に、コントローラ１は、スイッチモジュール３がオフ状態になるように制御し、ソーラー充電装置のソーラーコンポーネントによる充電管理チップへの給電を遮断し、さらに二次電池への充電を停止する。
【００３６】
別の実施形態として、二次電池の温度が所定温度範囲内にある場合に、コントローラ１は、温度検出モジュール２により伝送された温度信号に基づいて、スイッチモジュール３がオフ状態である第１の動作状態になるように制御し、二次電池の温度が所定温度範囲を超える場合に、コントローラは、温度検出モジュールにより伝送された温度信号に基づいて、前記スイッチモジュールがオン状態である第２の動作状態になるように制御する。
【００３７】
図４に示すように、スイッチモジュール３は、スイッチ回路（ＮＭＯＳトランジスタ）であってもよく、充電管理チップの温度検出ピンに接続され、温度検出モジュール２によって二次電池の温度を検出し、対応する温度信号をコントローラ１に送信し、二次電池の温度が所定温度範囲内にある場合に、コントローラ１は、スイッチモジュール３がオフ状態になるように制御し、さらに充電管理チップは、自らが備える固定抵抗が生じた電気信号に基づいて動作し、又は、スイッチモジュール３とコントローラとの間に接続された第２の抵抗が生じた電気信号で動作し、二次電池を充電する。二次電池の温度が所定温度範囲を超える場合に、コントローラ１は、スイッチモジュール３がオン状態になるように制御し、この場合、スイッチモジュール３は、充電管理チップの温度検出ピンを接地端子と導通させ、充電管理チップによる二次電池の充電を停止する。
【００３８】
図１に示すように、特定の実施形態において、コントローラ１は、デジタルアナログ変換機能を持つシングルチップマイクロコンピュータである。温度検出モジュールによる二次電池の温度検出により生じた温度信号が通常アナログ信号であるため、デジタルアナログ変換機能を持つシングルチップマイクロコンピュータをコントローラとして用い、また、温度検出モジュールによる二次電池の温度検出により生じた温度信号がデジタル信号である場合、デジタルアナログ変換機能を持つシングルチップマイクロコンピュータを直接コントローラとすることができ、従って、最も好ましくは、デジタルアナログ変換機能を持つシングルチップマイクロコンピュータをコントローラとして用いる。また、シングルチップマイクロコンピュータにおいて上記所定温度範囲を設定することは、簡単なプログラミングによって実現できるため、ここで詳しく説明しない。
【００３９】
図１及び図２に示すように、特定の実施形態において、温度検出モジュール２は、サーミスターＲＴと第１の抵抗Ｒからなる分圧回路であり、又は、温度検出モジュールは、白金抵抗又は熱電対である。
【００４０】
サーミスターと第１の抵抗からなる分圧回路を温度検出モジュールとして使用する場合、サーミスターを二次電池の表面、好ましくは二次電池の酷く発熱する位置に設置する必要がある。
【００４１】
図２に示すように、特定の実施形態において、前記分圧回路は、前記サーミスターＲＴの第１の端が電源ＶＣＣに接続され、前記サーミスターＲＴの第２の端が第１の抵抗Ｒの第１の端に接続され、前記第１の抵抗Ｒの第２の端がＧＮＤに接地されており、前記サーミスターＲＴの第２の端が前記シングルチップマイクロコンピュータのデジタルアナログ変換接続端子に接続されるように構成されている。
【００４２】
図１に示すように、特定の実施形態において、スイッチモジュール３は、スイッチ回路であり、又は、電子制御式スイッチエンティティである。
【００４３】
スイッチ回路は、コントローラの電気信号に基づいてオン又はオフを実現できる回路であり、その具体的な設置形態について限定がない。電子制御式スイッチは、一般的に市販される電子制御式スイッチであってもよく、その動作電力が具体的なソーラー充電装置の電力とマッチングする必要がある。
【００４４】
特定の実施形態において、充電制御システム全体の安定性及び安全性を確保するために、スイッチモジュールの入力端子とコントローラの出力端子との間に保護抵抗を接続し、さらに上記分圧回路に保護コンデンサを設置することもできる。
【００４５】
特定の実施形態において、スイッチモジュール３とコントローラ１との間に第２の抵抗が接続される。
【００４６】
スイッチモジュールが充電管理チップの入力端子に接続され、例えば、温度検出ピンに接続され且つスイッチモジュールがスイッチ回路である場合、図４に示すように、スイッチモジュール３とコントローラ１との間に第２の抵抗を接続することができ、コントローラ１は、スイッチモジュール３がオフになるように制御するとき、第２の抵抗が生じた電気信号で動作して、二次電池を充電する。
【００４７】
図３に示すように、本開示の実施例にて提供されるソーラー充電装置は、ソーラーコンポーネントと、二次電池とを備え、充電管理チップと、上記充電制御システムとをさらに備え、充電制御システムのスイッチモジュールが充電管理チップに接続され、充電管理チップの動作状態を制御するために用いられる。
【００４８】
充電制御システムの構造及び動作原理は上記実施例と同じであるため、ここで詳しく説明しない。
【００４９】
本開示の実施例の技術的解決手段では、充電制御システムは、コントローラ、温度検出モジュール及びスイッチモジュールからなり、温度検出モジュールは、二次電池の温度を検出でき、対応する温度信号をコントローラに伝送し、このように、コントローラは、受信した温度信号及び予め設定された温度範囲に基づいて判断でき、二次電池の温度が所定温度範囲内にある場合、コントローラは、温度検出モジュールにより伝送された温度信号に基づいて、スイッチモジュールが第１の動作状態になるように制御し、二次電池の温度が所定温度範囲を超える場合に、コントローラは、温度検出モジュールにより伝送された温度信号に基づいて、スイッチモジュールが第２の動作状態になるように制御し、さらに上記のスイッチモジュールの第１の動作状態又は第２の動作状態によって、ソーラー充電装置の充電管理チップを二次電池への充電状態又は充電停止状態にする。以上のように、本開示の実施例に係るコントローラは、二次電池充電時に要求される温度に基づいて、所定温度範囲を設定でき、さらに上記制御方式に応じて、異なる構成成分の二次電池に対して充電制御を行うことができ、従来技術において充電温度制御が二次電池による充電温度制限と一致しないという技術的課題を解決し、太陽エネルギーの利用率を向上させる。
【００５０】
特定の実施形態において、スイッチモジュールと充電管理チップの接続方式は、以下の２種の実施形態を含むことができる。
【００５１】
一実施形態として、スイッチモジュールは、充電管理チップの温度検出ピンに接続される。
【００５２】
スイッチモジュールの出力端子が充電管理チップの温度検出ピンに接続される場合、充電制御システムの動作モードは以下のとおりである。
【００５３】
ソーラー充電装置の二次電池がリチウム電池であり、所定温度範囲が０〜６０℃である場合、本開示の実施例の充電制御システムの動作モードとして、先ず、温度検出モジュールは、二次電池の温度を検出し、且つ二次電池の温度を示す信号をコントローラに送信し、次に、コントローラは、温度信号に基づいて、二次電池の温度が所定温度範囲０〜６０℃内にあるか否かを判断し、この所定温度範囲内にあると、コントローラは、スイッチ回路であるスイッチモジュールを閉じるように制御し、さらに充電管理チップは、自らが備える固定抵抗が生じた電気信号に基づいて動作し、又は、スイッチ回路とコントローラとの間に接続された第２の抵抗が生じた電気信号で動作し、続いて二次電池を充電することができる。二次電池の温度が所定温度範囲０〜６０℃を超える場合に、コントローラは、スイッチモジュールがオンになるように制御し、この場合、スイッチ回路は、充電管理チップの温度検出ピンを接地端子と導通させ、充電管理チップによる二次電池への充電を停止する。且つ、温度検出モジュールは、二次電池の温度を連続的に検出し、同時に、コントローラは、温度を連続的に判断し、それにより、さらに二次電池への充電制御を実現する。
【００５４】
さらに、特定の実施形態において、図４に示すように、コントローラ１は、デジタルアナログ変換機能を持つシングルチップマイクロコンピュータであり、その接続ピンＰＡ２が、３つの接続端子を有するスイッチ回路であるスイッチモジュール３に接続され、スイッチモジュール３の１つの接続端子が充電管理チップ４の温度検出ピンに接続され、すなわちスイッチモジュール３の１つの接続端子が充電管理チップ４のＴＥＭＰピンに接続され、スイッチモジュールの最後の接続端子が接地しており、コントローラ１のデジタルアナログ変換接続端子ＡＤ  ＴＥＭＰ１が温度検出モジュール２に接続され、また、ソーラー充電装置は、コントローラに接続され、コントローラ１を給電するためのコントローラ電源５と、制御プログラムをアップロード・ダウンロードするためのプログラムダウンロードモジュール６と、ソーラー充電装置のソーラーコンポーネントに接続され、ソーラーコンポーネントの動作電圧を検出するためのソーラーコンポーネント電圧検出モジュール７と、二次電池に接続され、二次電池充電時の電圧を検出するための二次電池電圧検出モジュール８とをさらに備える。図４中の具体的な回路において、シングルチップマイクロコンピュータにおいて所定の温度範囲、すなわち二次電池の最適充電に対応する温度範囲を設定でき、例えば、二次電池がリチウム電池である場合、所定温度範囲は０〜６０℃であり、温度検出モジュール２が検出した二次電池の温度が０〜６０℃であると、シングルチップマイクロコンピュータは、該温度信号を受信しスイッチモジュール３を制御して、接地しているチャンネルを閉じ、このように、充電管理チップ４は、自らが備える固定抵抗が生じた電気信号に基づいて動作し、又はスイッチモジュール３とコントローラ１との間に接続された第２の抵抗が生じた電気信号で動作し、続いて二次電池を充電することができる。温度検出モジュール２が検出した二次電池の温度が所定温度範囲を超えると、コントローラ１は、スイッチモジュール３を制御して接地しているチャンネルをオンさせ、この場合、スイッチ回路は、充電管理チップ４の温度検出ピンを接地端子と導通させ、充電管理チップ４による二次電池への充電を停止する。且つ、温度検出モジュール２は、二次電池の温度を連続的に検出し、同時に、コントローラ１も温度を連続的に判断し、それにより、二次電池への充電制御を実現する。
【００５５】
別の実施形態として、スイッチモジュールは、充電管理チップの電源ピンに接続される。
【００５６】
スイッチモジュールの出力端子が充電管理チップ４の電源ピンに接続される場合、ソーラー充電装置の二次電池がリチウム電池であり、所定の温度範囲が０〜６０℃であるとき、本開示の実施例の充電制御システムの動作モードとして、先ず、温度検出モジュール２は、二次電池の温度を検出し、二次電池の温度を示す信号をコントローラ１に送信し、次に、コントローラ１は、温度信号に基づいて、二次電池の温度が所定温度範囲０〜６０℃内にあるか否かを判断し、この所定温度範囲内にあると、コントローラ１は、スイッチモジュールをオンするように制御し、さらに充電管理チップ４を正常に動作させ、続いて二次電池を充電し、二次電池の温度が所定温度範囲０〜６０℃を超える場合に、コントローラ１は、スイッチモジュールを閉じるように制御し、ソーラー充電装置のソーラーコンポーネントによる充電管理チップ４への給電を遮断し、さらに二次電池への充電を停止する。且つ、温度検出モジュール２は、二次電池の温度を連続的に検出し、同時に、コントローラ１も温度を連続的に判断し、それにより、二次電池への充電制御を実現する。
【００５７】
図５、図６及び図７に示すように、本開示の実施例にて提供される傘用ジャンクションボックスは、上記充電制御システムと、第１の貫通孔１１１が設置されるハウジング１０１と、ハウジング１０１内に設置される回路基板１０２と、回路基板１０２に電気的に接続される電気接続端と第１の貫通孔１１１に位置し且つ第１の貫通孔１１１を介してハウジング１０１外に露出するインタフェース端とを有する充電インタフェース１０３と、回路基板１０２に電気的に接続され、且つ回路基板１０２を介して充電インタフェース１０３に電気的に接続され、インタフェース端に接続される電子機器を充電するための二次電池１０４とを備え、充電制御システムの温度検出モジュールは、二次電池１０４に接続され、二次電池１０４の温度を検出するために用いられ、充電制御システムのスイッチモジュールは、二次電池に接続される。
【００５８】
ハウジング１０１における第１の貫通孔１１１は、充電インタフェース１０３のインタフェース端の外輪形状と一致するように設計されてもよく、好ましくは、充電インタフェース１０３のインタフェース端が第１の貫通孔１１１を貫通して第１の貫通孔１１１からハウジング１０１外へ延出せず、電子機器の充電データ回線が充電インタフェース１０３のインタフェース端に正常に接続されればよい。
【００５９】
充電インタフェース１０３は、ＵＳＢ（Ｕｎｉｖｅｒｓａｌ  Ｓｅｒｉａｌ  Ｂｕｓ、ユニバーサルシリアルバス）インタフェース又は円形電源インタフェース等を用いてもよく、必要に応じて、従来技術における充電インタフェースタイプを選択して使用すればよく、ここで制限されず、充電インタフェース１０３の電気接続端が回路基板１０２に電気的に接続され、且つ回路基板１０２を介して二次電池１０４に電気的に接続され、電子機器の充電データ回線が充電インタフェース１０３のインタフェース端に接続される場合、二次電池１０４は、充電インタフェース１０３を介して電子機器を充電することができる。
【００６０】
二次電池１０４は、回路基板１０２を介して充電インタフェース１０３に電気的に接続され、充電インタフェース１０３のインタフェース端に接続される電子機器を充電するために用いられ、本開示の実施例の回路基板１０２は、完成品回路基板としてのＰＣＢＡ（Ｐｒｉｎｔｅｄ  Ｃｉｒｃｕｉｔ  Ｂｏａｒｄ  ＋Ａｓｓｅｍｂｌｙ）であり、回路基板１０２の具体的な構造形態について、上記充電機能を実現できる従来技術の回路基板を用いてもよく、ここで詳しく説明しない。二次電池１０４が接着方式でハウジング１０１内に貼り付けられて固定されることが可能であり、ハウジング１０１の体積によって、ハウジング１０１内に複数の二次電池を設置してもよく、各二次電池は、回路基板１０２に電気的に接続され且つ回路基板１０２を介して充電インタフェース１０３に電気的に接続され、充電インタフェース１０３の数量が複数である場合、各二次電池１０４はそれぞれ、各充電インタフェース１０３が二次電池１０４に残量があるときに、電子機器を充電するように、あらゆる充電インタフェース１０３に同時に接続される。ここで、複数の二次電池１０４が設置されることで、大量で十分な電量を提供して、それにより充電ニーズを満たす。なお、充電制御システムの温度検出モジュール及びスイッチモジュールは、回路基板１０２に電気的に接続されてもよい。
【００６１】
図８に示すように、本開示の実施例の傘用ジャンクションボックス１００は、傘の傘本体２００に接続され、本開示の一実施形態では、傘本体２００の中棒２０１に接続され、且つ電子機器の充電データ回線を容易に差し込む中棒２０１の位置に設置され、傘を使用する過程において、傘用ジャンクションボックス１００を利用して携帯電話、タブレットＰＣ等の電子機器を充電することができ、利便性及び実用性を有する。パラソルを例として、傘用ジャンクションボックス１００は、パラソルの中棒２０１に接続され、その接続の高さをパラソルの陰で休むときに手で容易に接触できる高さにし、電子機器を、充電データ回線を介して傘用ジャンクションボックス１００の充電インタフェースに差し込んで充電することができ、このように、室外でアウトドアレジャーや娯楽を楽しむときに、携帯電話、タブレットＰＣ等の電子機器に十分な電量を提供し、室外にいる場合に充電しにくいという問題を解決する。
【００６２】
本開示の実施例の技術的解決手段では、傘用ジャンクションボックスは、回路基板と、回路基板に電気的に接続される二次電池とを備え、充電制御システムの温度検出モジュール及び二次電池は、二次電池の温度を検出し、対応する温度信号をコントローラに伝送するために用いられ、このように、コントローラは、受信した温度信号及び予め設定された温度範囲に基づいて判断でき、二次電池の温度が所定温度範囲内にある場合に、コントローラは、温度検出モジュールにより伝送された温度信号に基づいて、スイッチモジュールが二次電池を充電する動作状態になるように制御し、二次電池の温度が所定温度範囲を超える場合に、コントローラは、温度検出モジュールにより伝送された温度信号に基づいて、スイッチモジュールが二次電池の充電を停止する動作状態になるように制御し、さらに上記のスイッチモジュールの異なる動作状態によって二次電池の充電状態と充電停止状態の間の切り替えを実現する。以上のように、本開示の実施例に係るコントローラは、二次電池充電時に要求される温度に基づいて、所定温度範囲を設定でき、さらに上記制御方式に応じて、異なる構成成分の二次電池に対して充電制御を行うことができ、従来技術において充電温度制御が二次電池による充電温度制限と一致しないという技術的課題を解決し、太陽エネルギーの利用率を向上させる。さらに、傘用ジャンクションボックスは、傘の傘本体に接続され、回路基板と、回路基板に電気的に接続される充電インタフェースとを備え、二次電池は、回路基板を介して充電インタフェースに電気的に接続され、電子機器が充電データ回線を介して充電インタフェースに接続されるとき、二次電池は、該電子機器を充電することができ、このように、傘は、日よけ又は雨除けの機能以外、電子機器を充電することができる。本開示の実施例の傘用ジャンクションボックスを傘に適用すると、傘に電子機器への充電機能を持たせ、傘のインテリジェンス性を向上させる。
【００６３】
図５〜図７及び図９に示すように、本開示の実施例の傘用ジャンクションボックスは、残量表示部材１０６をさらに備え、ハウジング１０１に第２の貫通孔１１２が設置され、残量表示部材１０６は、第２の貫通孔１１２に設置され、且つ第２の貫通孔１１２を介してハウジング１０１外に露出し、残量表示部材１０６は、回路基板１０２に電気的に接続され、且つ回路基板１０２を介して二次電池１０４に電気的に接続され、二次電池１０４の残量を表示するために用いられる。残量表示部材は、二次電池の残量状況を確実に把握して、二次電池の残量を表示することにより、電量が切れたときにも電子機器を充電することを回避でき、また、ユーザーに傘用ジャンクションボックスが充電できるか否かを通知し、電気エネルギーをタイムリーに補充させる。
【００６４】
特定の実施形態において、残量表示部材１０６は、所定軌跡に沿って配列され、所定軌跡の所定方向に沿って順に発光し、二次電池の残量を指示するための複数の指示ランプを備え、及び／又は残量指示部材は、ディスプレイスクリーンを備える。
【００６５】
図５に示すように、指示ランプを用いて二次電池１０４の残量を表示するとき、複数の指示ランプは、直線又は円形の軌跡等に沿って並んでもよく、ハウジングの形状等に応じて所定軌跡を決定してもよく、ここは限定しない。所定軌跡が垂直線である場合を例として、垂直線の下から上への方向に沿って、複数の指示ランプは、二次電池１０４の残量の増大に伴い順に発光し、指示ランプの数量が４つである場合を例として、二次電池の残量が０である場合、４つの指示ランプが全て消灯状態にあり、二次電池の残量が０以上２５％以下の場合、最下方の指示ランプが発光し、残りの指示ランプが消灯状態にあり、二次電池の残量が２５％以上５０％以下である場合、最下方の２つの指示ランプが発光し、残りの指示ランプが消灯状態にあり、二次電池の残量が５０％以上７５％以下である場合、最下方の３つの指示ランプが発光し、残りの指示ランプが消灯状態にあり、二次電池の残量が７５％以上である場合、４つの指示ランプが全て発光するように構成されている。上記設計によれば、二次電池の残量状況を明瞭に把握できる。指示ランプとして、ＬＥＤランプ又はＬＣＤランプ等を用いてもよく、ここで制限しない。
【００６６】
ディスプレイスクリーン式指示ランプを用いて二次電池の残量を表示する場合、残量の百分率及び／又は充電可能な時間を表示することができる。
【００６７】
二次電池の残量表示を実現する方式は、具体的に、ＳＴＭ３２、Ｓ１０３等の型番の制御チップを回路基板に設置し、該制御チップで二次電池の電圧変化を測定し、測定された電圧のアナログ信号をデジタル信号に変換し、次にデジタル信号に基づいて残量表示部材を制御し、残量表示部材に二次電池の残量状況を表示させることである。
【００６８】
特定の実施形態において、図９に示すように、第２の貫通孔１１２は、複数の遮光孔１２１を有し、隣接する２つの遮光孔１２１の各間にバリア壁１２２を有する。遮光孔１２１の数量は指示ランプの数量と同じである。且つ遮光孔１２１は、所定軌跡に沿って配列され、各指示ランプが遮光孔１２１にそれぞれ対応して挿入される。複数の遮光孔１２１が互いに間隔を置いて設置され、各指示ランプが１つの遮光孔１２１に位置し、このように、複数の指示ランプ同士の光干渉の発生を効果的に防止できる。
【００６９】
特定の実施形態において、遮光孔１２１は、ハウジング内からハウジング外に連通する第１の孔１２１１と、孔径が第１の孔１２１１の孔径より小さい第２の孔１２１２とを備え、指示ランプは、第１の孔１２１１内に挿入され、第２の孔１２１２を介してハウジング１０１外に露出する。指示ランプからの光が第１の孔１２１１から第２の孔１２１２に伝播し、第２の孔１２１２の孔径が第１の孔１２１１よりも小さいため、第１の孔１２１１により指示ランプの光は、第１の孔１２１１に集光され、次に第２の孔１２１２を通過してさらに絞られて、それにより指示ランプの発光輝度が確保される。
【００７０】
特定の実施形態において、図６、図７、図１０及び図１１に示すように、ハウジングは、対向する第１のハウジング１０１３と第２のハウジング１０１４、及び、第３のハウジング１０１５と第４のハウジング１０１６を備え、第１のハウジング１０１３、第２のハウジング１０１４、第３のハウジング１０１５及び第４のハウジング１０１６は、取り外し可能に接続される。取り外し可能に接続されるように設計することにより、ハウジング内の部品を簡単に交換したり保守したりすることができ、例えば、ハウジング内に二次電池が設置される場合、電池が経時的に酷く劣化するとき、ハウジングを取り外して二次電池を交換することができる。
【００７１】
特定の実施形態において、図７、図１０及び図１２に示すように、第１のハウジング１０１３に第１の切欠き１３１を有する第１の突き合わせ部１３２が設置され、第２のハウジング１０１４に第２の切欠き１４１を有する第２の突き合わせ部１４２が設置され、第１の突き合わせ部１３２が第２の突き合わせ部１４２に突き合せられる時に、第１の切欠き１３１が第２の切欠き１４１と対向して、挟持空間１０７を形成し、且つ第１のハウジング１３が第２のハウジング１４に突き合せられて、両端が貫通するキャビティーを形成する。
【００７２】
第１の突き合わせ部１３２及び第２の突き合わせ部１４２には、ネジ接続方式、又は挿抜式バックスによる接続方式等が利用でき、例えば、第１の突き合わせ部１３２に第１の雌ネジ孔１３３を設置し且つ第１のハウジング１０１３を貫通し、第２の突き合わせ部１４２に第１の雌ネジ孔１３３と同様な第２の雌ネジ孔１４３を設置し、ネジを第１のハウジング１０１３の外部から内部へ挿入し、且つ第１の雌ネジ孔１３３及び第２の雌ネジ孔１４３に順に螺着することにより、第１の突き合わせ部１３２と第２の突き合わせ部１４２を突き合わせる。
【００７３】
第１の突き合わせ部１３２は、それぞれ第１のハウジング１０１３の両端に位置するように２つ設置することができ、それに対応して、第２の突き合わせ部１４２は、それぞれ第２のハウジング１０１４の両端に位置するように２つ設置することができ、以下の２種の場合がある。第１の突き合わせ部及び第２の突き合わせ部は、それぞれ第１のハウジング及び第２のハウジングの両端の端部に位置し、第１の切欠き及び第２の切欠きは、両端の開口（図示せず）となり、又は、第１の突き合わせ部１３２及び第２の突き合わせ部１４２は、それぞれ第１のハウジング１０１３及び第２のハウジング１０１４の両端の端部の間に位置し、第１のハウジング１０１３及び第２のハウジング１０１４の両端の端部にはそれぞれ、挟持空間１０７と連通し且つ挟持空間１０７の形状と同じ形状を有する開口が設置される。
【００７４】
図８及び図１２に示すように、傘の中棒２０１がハウジング１０１内に挿接されて挟持空間１０７内に挟持されるように、挟持空間１０７の形状は、傘の中棒２０１の断面形状と一致するように設計される。
【００７５】
特定の実施形態において、ハウジング１０１と中棒２０１とをより安定的に接続するために、図７に示すように、第１のハウジング１０１３及び／又は第２のハウジングには、傘に接続される中棒を固定するための位置決め部１３４が設置される。位置決め部は、挿通孔として設計されてもよく、また、全てピン軸を挿接するための複数の挿通孔を設置してもよく、それに対応して、中棒に複数の取り付け孔が設置され、ピン軸がハウジング及び中棒に順に挿接されることにより、ハウジングと中棒は互いに固定され、又は、位置決め部１３４は、第３の雌ネジ孔１３５を有する柱体として設計されてもよく、第３の雌ネジ孔１３５がハウジング１０１を貫通し、それに対応して、中棒２０１には第３の雌ネジ孔１３５と同様な第４の雌ネジ孔（図示せず）が設置されてもよく、ハウジング１０１の外部から内部にネジを挿入し、第３の雌ネジ孔１３５及び第４の雌ネジ孔に順に螺着することにより、ハウジング１０１と中棒２０１は互いに固定される。
【００７６】
特定の実施形態において、図７、図１０及び図１２に示すように、第１のハウジング１０１３及び第２のハウジング１０１４において、その両端に隣接する両側辺縁にそれぞれ、第１のハウジング１０１３及び第２のハウジング１０１４の両端を貫通する凹溝１０５が設置され、図２及び図７に示すように、第３のハウジング１０１５及び第４のハウジング１０１６の周縁にそれぞれ挿着部１０８が設置され、第１のハウジング１０１３と第２のハウジング１０１４が突き合せられる時に、第１のハウジング１０１３の凹溝１０５が第２のハウジング１０１４の凹溝１０５と対向し、第３のハウジング１０１５及び第４のハウジング１０１６の挿着部１０８が凹溝１０５内に挿入され、第３のハウジング１０１５及び第４のハウジング１０１６を第１のハウジング１０１３及び第２のハウジング１０１４に固定係合させる。第３のハウジング１０１５及び第４のハウジング１０１６を取り付けるときに、第１のハウジング１０１３を第２のハウジング１０１４と突き合わせる際、第３のハウジング１０１５及び第４のハウジング１０１６を第１のハウジング１０１３と第２のハウジング１０１４との間に係合し、それにより、別にネジで接続する必要がなく、ネジを締め付けることによるトラブルを解消して、取り付けを簡素化させる。
【００７７】
上記ハウジングの構造設計により、着脱しやすく、構造が簡単で、強固に接続できる。
【００７８】
特定の実施形態において、図６、図１１及び図１２に示すように、第３のハウジング１０１５及び第４のハウジング１０１６の挿着部１０８はいずれも、その縁部全周に亘って対向する２つの環状スラットを備え、図１２に示すように、２つの環状スラットの間に隙間を有し、隙間にシールリング１０９が嵌設され、挿着部１０８が凹溝１０５内に挿入される際、挿着部１０８は、シールリング１０９によって凹溝１０５と密封される。シールリング１０９を套設するように、２つの環状スラットが設置され、第３のハウジング１０１５及び第４のハウジング１０１６が第１のハウジング１０１３と第２のハウジング１０１４との間に係合されたとき、シールリング１０９は、挿着部１０８と凹溝１０５との間に位置し、良好にシールする役割を果たし、水又は埃塵等のハウジングの接続部への侵入を防止する。
【００７９】
特定の実施形態において、図６及び図１１に示すように、挿着部１０８は、２つの環状スラットの設置方向に沿って均等に分布し且つ互い違いに並べられる第１の歯部１８１と第２の歯部１８２を備える。第１の歯部１８１及び第２の歯部１８２を設置する構造により、ハウジングを軽量化させ、且つハウジングが通常射出成形されるため、該設計方式は、射出成形用金型の製造上にも有利である。
【００８０】
特定の実施形態において、図１３に示すように、ハウジング１０１には、傘の傘骨に接続されて傘の傘布の開閉を制御するためのクランク１１０が設置される。クランクと上記実施例の傘用ジャンクションボックスとを一体に組み合せて、クランク１１０を有する傘用ジャンクションボックスを構成し、それにより、別にクランクを設置する必要がなく、構造設計を簡略化させる。
【００８１】
特定の実施形態において、図５及び図１３に示すように、充電インタフェース１０３は、複数のＵＳＢインタフェースであり、ハウジング１０１は、軸対称構造であり、複数のＵＳＢインタフェースは、ハウジング１０１の対向両側に対称的に設置される。複数のＵＳＢインタフェースを設置することにより、複数の電子機器を同時に充電でき、ハウジング１０１が軸対称構造である場合、複数のＵＳＢインタフェースは、対称的に設置され、複数の電子機器を充電するとき、複数の電子機器をそれぞれ対称的な方向で対応するＵＳＢインタフェースに接続することができ、例えば、ハウジングには第１のハウジング、第２のハウジング、第３のハウジング及び第４のハウジングを備える場合、第３のハウジング及び第４のハウジングにそれぞれ複数のＵＳＢインタフェースを設置し、第３のハウジングにおけるＵＳＢインタフェースが第４のハウジングにおけるＵＳＢインタフェースと対称になり、そうすると、２つの電子機器を充電する場合、同じ側に２つの電子機器を同時に接続するのではなく、第３のハウジングにおけるＵＳＢインタフェースに一方の電子機器を接続し、第４のハウジングにおけるＵＳＢインタフェースに他方の電子機器を接続し、このように、傘のバランスをよりよく保持することができる。
【００８２】
特定の実施形態において、図５及び図１３に示すように、第１の貫通孔１１１には、充電インタフェース１０３のインタフェース端の外側に密封接合される密封蓋（図示せず）が設置される。密封蓋は、充電インタフェース１０３のインタフェース端を水又は埃塵等の侵入から保護することができる。
【００８３】
特定の実施形態において、図５に示すように、ハウジング１０１には、傘の照明装置に電気的に接続されて照明装置のオンオフを制御するためのスイッチ操作部１１３がさらに設置される。傘の傘布内側に照明装置を設置し、傘用ジャンクションボックスのハウジングには、照明装置と電気的に接続されて照明装置のオンオフを制御するためのスイッチ操作部を設置してもよく、それにより、傘に別にスイッチを設置する必要がなく、構造設計を簡略化させて、組み立てやすくする。
【００８４】
特定の実施形態において、ハウジング内にスピーカーが設置され、ハウジングに第３の貫通孔（図示せず）が設置され、スピーカーのスピーカーインタフェースが第３の貫通孔と対向し、且つ第３の貫通孔を介してハウジング外に露出する。スピーカーによって音楽等の音声ファイルを再生でき、それによって、傘用ジャンクションボックスを有する傘のインテリジェンス性を向上させる。
【００８５】
図８に示すように、本開示の実施例にて提供される傘は、傘本体２００と、上記傘用ジャンクションボックス１００とを備え、傘用ジャンクションボックス１００が傘本体２００に接続される。
【００８６】
傘用ジャンクションボックス１００の構造及び動作原理はいずれも上記実施例と同じであるため、ここで詳しく説明しない。
【００８７】
本開示の実施例の技術的解決手段では、傘は、傘本体と、傘用ジャンクションボックスとを備え、傘用ジャンクションボックスは、傘本体に接続され、回路基板と、回路基板に電気的に接続される二次電池とを備え、充電制御システムの温度検出モジュール及び二次電池は、二次電池の温度を検出し、対応する温度信号をコントローラに伝送するために用いられ、このように、コントローラは、受信した温度信号及び予め設定された温度範囲に基づいて判断でき、二次電池の温度が所定温度範囲内にある場合に、コントローラは、温度検出モジュールにより伝送された温度信号に基づいて、スイッチモジュールが二次電池を充電する動作状態になるように制御し、二次電池の温度が所定温度範囲を超える場合に、コントローラは、温度検出モジュールにより伝送された温度信号に基づいて、スイッチモジュールが二次電池の充電を停止する動作状態になるように制御し、さらに上記のスイッチモジュールの異なる動作状態によって二次電池の充電状態と充電停止状態の間の切り替えを実現する。以上のように、本開示の実施例に係るコントローラは、二次電池充電時に要求される温度に基づいて、所定温度範囲を設定でき、さらに上記制御方式に応じて、異なる構成成分の二次電池に対して充電制御を行うことができ、従来技術において充電温度制御が二次電池による充電温度制限と一致しないという技術的課題を解決し、太陽エネルギーの利用率を向上させる。さらに、傘用ジャンクションボックスは、傘の傘本体に接続され、回路基板と、回路基板に電気的に接続される充電インタフェースとを備え、二次電池は、回路基板を介して充電インタフェースに電気的に接続され、電子機器が充電データ回線を介して充電インタフェースに接続されるとき、二次電池は、該電子機器を充電することができ、このように、傘は、日よけ又は雨除けの機能以外、電子機器を充電することができる。本開示の実施例の傘用ジャンクションボックスを傘に適用すると、傘に電子機器への充電機能を持たせ、傘のインテリジェンス性を向上させる。
【００８８】
特定の実施形態において、図８に示すように、ソーラー充電装置のソーラーコンポーネント２０５は、傘本体２００の傘布２０２の外面に設置され、傘用ジャンクションボックス１００は、傘本体２００の中棒２０１に接続され、中棒２０１には、傘用ジャンクションボックス１００と傘本体２００のスタンド２０４との間に位置するトレイ２０３が接続される。トレイ２０３は、物品を載置することに用いられ、傘用ジャンクションボックス１００で電子機器を充電するとき、電子機器をトレイ２０３に置くことができ、充電データ回線が短いことにより電子機器を載置しにくいという状況を回避する。本開示の実施例に係る傘は、傘本体自体の構造で傘用ジャンクションボックスに接続されることで、傘に多機能を持たせ、傘のインテリジェンス性を向上させる。
【００８９】
以上は、本開示の好ましい実施例に過ぎず、本開示を任意の形式で制限するものではなく、本開示の技術の趣旨に基づいて以上の実施例に対して行われる任意の簡単な変更、等価置換や修飾も本開示の技術的解決手段の範囲に属する。
【符号の説明】
【００９０】
１  コントローラ
２  温度検出モジュール
３  スイッチモジュール
４  充電管理チップ
５  コントローラ電源
６  ダウンロードモジュール
７  太陽素子電圧検出モジュール
８  二次電池電圧検出モジュール
【図１】
2019193555.tif 000003
【図２】
2019193555.tif 000004
【図３】
2019193555.tif 000005
【図４】
2019193555.tif 000006
【図５】
2019193555.tif 000007
【図６】
2019193555.tif 000008
【図７】
2019193555.tif 000009
【図８】
2019193555.tif 000010
【図９】
2019193555.tif 000011
【図１０】
2019193555.tif 000012
【図１１】
2019193555.tif 000013
【図１２】
2019193555.tif 000014
【図１３】
2019193555.tif 000015